(57)【要約】【課題】本発明は、画像形成装置による書き換えが不要な情報の消去を抑制することが可能であると共に、再利用性に優れる画像形成材料収容容器、該画像形成材料収容容器を有する画像形成装置及び該画像形成装置を用いる画像形成方法を提供することを目的とする。【解決手段】インクジェット装置１の本体に着脱自在であり、インクが収容されているインクカートリッジ１０は、格納されている情報の書き込み及び消去が可能であると共に、情報を消去する方法が異なる不揮発性メモリ１０ｄ及び１０ｅを有し、不揮発性メモリ１０ｄ及び１０ｅは、インクに関する情報が格納されている。【選択図】図６
2009154316.tif 000002
【特許請求の範囲】
【請求項１】
画像形成装置の本体に着脱自在であり、画像形成材料が収容されている画像形成材料収容容器であって、
格納されている情報の書き込み及び消去が可能であると共に、該情報を消去する方法が異なる複数の不揮発性メモリを有し、
該複数の不揮発性メモリは、該画像形成材料に関する情報が格納されていることを特徴とする画像形成材料収容容器。
【請求項２】
前記複数の不揮発性メモリは、格納されている情報を電気的に消去して書き込むことが可能な不揮発性メモリを含有することを特徴とする請求項１に記載の画像形成材料収容容器。
【請求項３】
前記複数の不揮発性メモリは、紫外線照射により情報を消去することが可能な不揮発性メモリを含有することを特徴とする請求項１又は２に記載の画像形成材料収容容器。
【請求項４】
前記複数の不揮発性メモリは、格納されている情報を１バイト単位で消去することが可能な不揮発性メモリを含有することを特徴とする請求項１乃至３のいずれか一項に記載の画像形成材料収容容器。
【請求項５】
前記複数の不揮発性メモリは、前記画像形成材料の使用期限が格納されていることを特徴とする請求項１乃至４のいずれか一項に記載の画像形成材料収容容器。
【請求項６】
請求項１乃至５のいずれか一項に記載の画像形成材料収容容器を有し、前記画像形成材料を用いて画像を形成する画像形成装置であって、
前記複数の不揮発性メモリに格納されている情報を読み出すと共に、所定の方法を用いて、前記複数の不揮発性メモリのうち、所定の不揮発性メモリに格納されている情報を消去して書き込む制御手段を有することを特徴とする画像形成装置。
【請求項７】
前記制御手段は、前記所定の不揮発性メモリに格納されている情報を電気的に消去して書き込むことを特徴とする請求項６に記載の画像形成装置。
【請求項８】
前記複数の不揮発性メモリは、前記画像形成材料の使用期限が格納されており、
該使用期限が経過している場合に、アラートを通知するアラート通知手段をさらに有することを特徴とする請求項６又は７に記載の画像形成装置。
【請求項９】
請求項６乃至８のいずれか一項に記載の画像形成装置を用いて画像を形成する画像形成方法であって、
前記制御手段が前記複数の不揮発性メモリに格納されている情報を読み出すと共に、所定の方法を用いて、前記複数の不揮発性メモリのうち、所定の不揮発性メモリに格納されている情報を消去して書き込む工程を有することを特徴とする画像形成方法。
【請求項１０】
前記複数の不揮発性メモリは、前記画像形成材料の使用期限が格納されており、
該使用期限が経過している場合に、前記アラート通知手段がアラートを通知する工程をさらに有することを特徴とする請求項９に記載の画像形成方法。
【発明の詳細な説明】
【技術分野】
【０００１】
本発明は、画像形成材料収容容器、画像形成装置及び画像形成方法に関する。
【背景技術】
【０００２】
一般に、インクジェット装置は、紙、透明フィルム等の媒体に、ヘッドからインクを吐出して画像を形成するものであり、特に、多色のインクを用いて、カラー画像を形成するのが容易である。このとき、インクが収容されているインクカートリッジからヘッドにインクが供給されるが、一般に、インクに関する情報がインクカートリッジに付随した不揮発性メモリに格納されている。インクジェット装置は、使用者によって使用環境、使用頻度、使用目的等が異なるが、インクに関する情報が格納されている不揮発性メモリから情報を読み出すことにより、高画質画像を形成することができる。
【０００３】
一方、格納されている情報を書き換えることが可能な不揮発性メモリがインクカートリッジに付随している場合は、不揮発性メモリの情報を書き換える際にエラーが発生し、書き換える必要の無い情報が消去されて、情報を読み出せなくなることがある。
【０００４】
そこで、特許文献１には、ヘッドの制御データを格納した記憶手段が設けられたインクカートリッジからインクの供給を受けるヘッドと、記憶手段の制御データに基づいてヘッドを駆動する制御手段と、ヘッドを制御する既定の制御データを格納した既定データ記憶手段と、書き換えが可能な更新データ記憶手段を備えたインクジェット装置が開示されている。このとき、インクジェット装置は、インクカートリッジが装着された時点でインクカートリッジの記憶手段の制御データを読み出し、装着されたインクカートリッジとヘッドとの適否を判断する。適合する場合には、インクカートリッジの記憶手段の制御データに基づいて、更新データ記憶手段の制御データを更新すると共に、インクカートリッジの記憶手段の制御データに基づいてヘッドを駆動する。また、適合しない場合及びインクカートリッジの記憶手段の制御データを読み出すことができない場合には、更新データ記憶手段の制御データ、または既定データ記憶手段の規定の制御データに基づいてヘッドを駆動する。
【０００５】
しかしながら、適合しない場合及びインクカートリッジの記憶手段の制御データを読み出すことができない場合には、高画質画像を形成することが困難であるという問題がある。
【０００６】
一方、特許文献２には、インクジェットプリンタ、レーザプリンタ等のプリンタに着脱自在に装着されるカートリッジ本体に、読み出しのみが可能な第１の記憶手段と読み出し及び書き込みが可能な第２の記憶手段が組み込まれているプリンタ用カートリッジが開示されている。
【０００７】
しかしながら、カートリッジを再利用する際に、第１の記憶手段に格納されている情報が不必要になる場合があるが、消去できないという問題がある。
【特許文献１】特許第３７４８０１０号公報
【特許文献２】特開２００２−１２７４６０号公報
【発明の開示】
【発明が解決しようとする課題】
【０００８】
本発明は、上記の従来技術が有する問題に鑑み、画像形成装置による書き換えが不要な情報の消去を抑制することが可能であると共に、再利用性に優れる画像形成材料収容容器、該画像形成材料収容容器を有する画像形成装置及び該画像形成装置を用いる画像形成方法を提供することを目的とする。
【課題を解決するための手段】
【０００９】
請求項１に記載の発明は、画像形成装置の本体に着脱自在であり、画像形成材料が収容されている画像形成材料収容容器であって、格納されている情報の書き込み及び消去が可能であると共に、該情報を消去する方法が異なる複数の不揮発性メモリを有し、該複数の不揮発性メモリは、該画像形成材料に関する情報が格納されていることを特徴とする。
【００１０】
なお、本願明細書及び特許請求の範囲において、画像形成装置の本体とは、画像形成装置の画像形成材料収容容器を除く部材を意味する。
【００１１】
請求項２に記載の発明は、請求項１に記載の画像形成材料収容容器において、前記複数の不揮発性メモリは、格納されている情報を電気的に消去して書き込むことが可能な不揮発性メモリを含有することを特徴とする。
【００１２】
請求項３に記載の発明は、請求項１又は２に記載の画像形成材料収容容器において、前記複数の不揮発性メモリは、紫外線照射により情報を消去することが可能な不揮発性メモリを含有することを特徴とする。
【００１３】
請求項４に記載の発明は、請求項１乃至３のいずれか一項に記載の画像形成材料収容容器において、前記複数の不揮発性メモリは、格納されている情報を１バイト単位で消去することが可能な不揮発性メモリを含有することを特徴とする。
【００１４】
請求項５に記載の発明は、請求項１乃至４のいずれか一項に記載の画像形成材料収容容器において、前記複数の不揮発性メモリは、前記画像形成材料の使用期限が格納されていることを特徴とする。
【００１５】
請求項６に記載の発明は、請求項１乃至５のいずれか一項に記載の画像形成材料収容容器を有し、前記画像形成材料を用いて画像を形成する画像形成装置であって、前記複数の不揮発性メモリに格納されている情報を読み出すと共に、所定の方法を用いて、前記複数の不揮発性メモリのうち、所定の不揮発性メモリに格納されている情報を消去して書き込む制御手段を有することを特徴とする。
【００１６】
請求項７に記載の発明は、請求項６に記載の画像形成装置において、前記制御手段は、前記所定の不揮発性メモリに格納されている情報を電気的に消去して書き込むことを特徴とする。
【００１７】
請求項８に記載の発明は、請求項６又は７に記載の画像形成装置において、前記複数の不揮発性メモリは、前記画像形成材料の使用期限が格納されており、該使用期限が経過している場合に、アラートを通知するアラート通知手段をさらに有することを特徴とする。
【００１８】
請求項９に記載の発明は、請求項６乃至８のいずれか一項に記載の画像形成装置を用いて画像を形成する画像形成方法であって、前記制御手段が前記複数の不揮発性メモリに格納されている情報を読み出すと共に、所定の方法を用いて、前記複数の不揮発性メモリのうち、所定の不揮発性メモリに格納されている情報を消去して書き込む工程を有することを特徴とする。
【００１９】
請求項１０に記載の発明は、請求項９に記載の画像形成方法において、前記複数の不揮発性メモリは、前記画像形成材料の使用期限が格納されており、該使用期限が経過している場合に、前記アラート通知手段がアラートを通知する工程をさらに有することを特徴とする。
【発明の効果】
【００２０】
本発明によれば、画像形成装置による書き換えが不要な情報の消去を抑制することが可能であると共に、再利用性に優れる画像形成材料収容容器、該画像形成材料収容容器を有する画像形成装置及び該画像形成装置を用いる画像形成方法を提供することができる。
【発明を実施するための最良の形態】
【００２１】
次に、本発明を実施するための最良の形態を図面と共に説明する。
【００２２】
図１及び図２に、本発明の画像形成装置の一例として、シリアル型のインクジェット装置１を示す。なお、図１及び図２は、それぞれ側面図及び平面図である。インクジェット装置１において、キャリッジ３３は、図２中、左右の側板２１Ａ及び２１Ｂに横架されている主従のガイドロッド３１及び３２で主走査方向に摺動自在に保持されており、主走査モータ（不図示）によってタイミングベルト（不図示）を介して移動走査される。イエロー（Ｙ）、シアン（Ｃ）、マゼンタ（Ｍ）及びブラック（Ｋ）のインクを吐出するヘッド３４ａ及び３４ｂは、複数のノズルからなるノズル列が副走査方向に配列され、インクが下向きに吐出されるようにキャリッジ３３に装着されている。ヘッド３４ａ及び３４ｂは、それぞれ２つのノズル列を有し、ヘッド３４ａの一方のノズル列がブラック（Ｋ）のインクを、他方のノズル列がシアン（Ｃ）のインクを、ヘッド３４ｂの一方のノズル列がマゼンタ（Ｍ）のインクを、他方のノズル列がイエロー（Ｙ）のインクを、それぞれ吐出する。
【００２３】
ヘッド３４ａ及び３４ｂを構成するインクジェットヘッドとしては、特に限定されないが、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等のインクを吐出させる圧力を発生する手段を有するものを用いることができる。
【００２４】
また、キャリッジ３３には、ヘッド３４ａ及び３４ｂのノズル列に対応して各色のインクを供給するためのヘッドタンク３５ａ及び３５ｂが搭載されている。ヘッドタンク３５ａ及び３５ｂには、カートリッジ装填部４に着脱自在に装着される各色のインクカートリッジ１０ｙ、１０ｍ、１０ｃ及び１０ｋから、供給ポンプユニット５によって各色の供給チューブ３６を介して、各色のインクが補充供給される。
【００２５】
一方、給紙トレイ２の用紙積載部（圧板）４１上に積載された用紙４２を給紙するために、用紙４２を１枚ずつ分離給送する給紙コロ（半月コロ）４３及び給紙コロ４３に対向し、摩擦係数が大きい材料からなる分離パッド４４が設けられており、分離パッド４４は、給紙コロ４３側に付勢されている。そして、給紙された用紙４２をヘッド３４の図１中、下方に送り込むために、用紙４２を案内するガイド４５と、カウンタローラ４６と、搬送ガイド４７と、先端加圧コロ４９を有する押さえ部材４８が設けられている。さらに、用紙４２を静電吸着してヘッド３４ａ及び３４ｂに対向する位置に搬送するために、搬送ベルト５１が設けられている。搬送ベルト５１は、無端状ベルトであり、搬送ローラ５２とテンションローラ５３の間に張架されており、周回するように構成されている。また、搬送ベルト５１の表面を帯電させるために、帯電ローラ５６が設けられている。帯電ローラ５６は、搬送ベルト５１の表層に接触し、搬送ベルト５１の回動に従動して回転するように配置されている。搬送ベルト５１は、副走査モータ（不図示）によってタイミングベルトを介して搬送ローラ５２が回転駆動されることにより回動する。さらに、ヘッド３４ａ及び３４ｂにより画像が形成された用紙４２を排紙するために、搬送ベルト５１から用紙４２を分離するための分離爪６１と、排紙ローラ６２と、拍車６３と、排紙トレイ３が設けられている。なお、本実施例では、用紙４２が用いているが、透明フィルム等の媒体を用いてもよい。
【００２６】
また、インクジェット装置１の図１中、左側には、両面ユニット７１が着脱自在に装着されている。両面ユニット７１は、搬送ベルト５１が搬送方向と逆方向に回動することにより戻される用紙４２を取り込んで反転させて再度カウンタローラ４６と搬送ベルト５１の間に給紙する。なお、両面ユニット７１の上面は、手差しトレイ７２となっている。
【００２７】
さらに、キャリッジ３３の図２中、右側の非画像形成領域には、ヘッド３４ａ及び３４ｂのノズルの状態を維持し、回復させる手段を含む維持回復機構８１が設けられている。維持回復機構８１には、ヘッド３４ａ及び３４ｂの下面をキャピングするために、それぞれキャップ８２ａ及び８２ｂが設けられている。また、維持回復機構８１には、ヘッド３４ａ及び３４ｂの下面をワイピングするために、ワイパーブレード８３が設けられており、増粘したインクを排出するために、インクを空吐出させる空吐出受け８４が設けられている。また、キャリッジ３３の図２中、左側の非画像形成領域には、増粘したインクを排出するために、インクを空吐出させる空吐出受け８８が設けられており、空吐出受け８８には、ヘッド３４ａ及び３４ｂのノズル列の方向に沿った開口部８９が設けられている。
【００２８】
次に、図３、図４及び図５を用いて、インクジェット装置１が有するヘッドタンク３５ａ及び３５ｂを説明する。なお、図３、図４及び図５は、それぞれヘッドタンク３５の斜視図、分解斜視図及び断面図である。なお、ヘッドタンク３５は、ヘッド３４ａ及び３４ｂが１色のインクを吐出するヘッド３４であると仮定した場合のヘッドタンクである。インクジェット装置１のように、ヘッド３４ａ及び３４ｂが２色のインクを吐出する場合は、ヘッドタンク３５ａ及び３５ｂとしては、２つのヘッドタンク３５を一体にしたものを用いることができる。
【００２９】
ヘッドタンク３５は、インクを収容するインク収容部１００を形成するために、ケース１０１に可撓性フィルム１０２を接着又は溶着して貼り付け、封止されている。このとき、インク収容部１００の内部には、ケース１０１と可撓性フィルム１０２の間に、可撓性フィルム１０２を外方に付勢するためにバネ１０３が設けられている。また、可撓性フィルム１０２には、バネ１０３に対応して外方に膨らむ凸部１０２ａが形成されており、凸部１０２ａの頂面には、補強部材１０４が貼り付けられている。さらに、可撓性フィルム１０２の変位に応じて変位する検知レバー１０６がケース１０１の側部に設けられた支持部１０７に揺動可能に取り付けられている。
【００３０】
また、ケース１０１には、インクカートリッジからインク収容部１００にインクを補充するためのインク導入路１１１が設けられており。このとき、インク導入路１１１と、インクカートリッジに接続されるチューブ３６を接続するための接続部１１２は、着脱自在に装着することができる。また、ケース１０１の下部には、インク収容部１００からヘッド３４にインクを供給するためのフィルタユニット１１３が取り付けられており、フィルタユニット１１３には、ヘッド３４へのインク供給路１１４が形成されていると共に、インク収容部１００との間にフィルタ１１５が介装されている。さらに、ケース１０１の上部には、インク収容部１００から空気を出すための空気流路１２１が形成されている。空気流路１２１は、インク収容部１００と接続されている開口部１２２と、流路部１２３を有し、流路部１２３は、大気開放穴１３１に接続されている。さらに、流路部１２３の大気開放穴１３１よりも下側に、蓄積部１２６が連続して形成されている。このとき、大気開放穴１３１を大気開放弁機構１３２により開閉することで、ヘッドタンク３５内を密閉状態及び開放状態にすることができる。また、ケース１０１の上部には、ヘッドタンク３５内のインクの消費量を検知するための２本の検知電極１４１及び１４２が装着されている。検知電極１４１及び１４２がいずれもインクに浸されている状態と、少なくとも一方がインクに浸されていない状態の間で、検知電極１４１及び１４２の間の導通状態が変化するため、インクの消費量を検知することができる。なお、本実施例では、２本の検知電極を用いて、インクの消費量が検知されているが、特に限定されず、例えば、インクの重量を検知してもよい。
【００３１】
以下、インクジェット装置１を用いた画像形成方法について説明する。まず、給紙トレイ２から用紙４２が１枚ずつ給紙され、ガイド４５で案内され、搬送ベルト５１とカウンタローラ４６の間に挟まれて搬送される。次に、用紙４２は、搬送ガイド４７で案内され、先端加圧コロ４９で搬送ベルト５１に押し付けられ、搬送方向が転換される。このとき、帯電ローラ５６に対してプラス出力とマイナス出力を交互に繰り返す交番電圧が印加され、搬送ベルト５１の表面には、プラスとマイナスが副走査方向に所定の幅で帯状に交互に帯電されている帯電電圧パターンが形成される。このような搬送ベルト５１上に用紙４２が押し付けられると、用紙４２が搬送ベルト５１に静電吸着される。さらに、用紙４２は、搬送ベルト５１の回動によって用紙４２がヘッド３４ａ及び３４ｂに対向する位置に搬送され、搬送ベルト５１の回動が停止する。次に、キャリッジ３３を主走査方向に移動走査させながら画像信号に応じてヘッド３４ａ及び３４ｂを駆動することにより、用紙４２にインクを吐出して１行分の画像を形成した後、搬送ベルト５１の回動によって用紙４２を副操作方向に所定量搬送させる操作を繰り返す。その後、画像形成が終了すると、用紙４２を排紙トレイ３に排紙する。
【００３２】
図６に、本発明の画像形成材料収容容器の一例として、インクカートリッジ１０を示す。インクカートリッジ１０は、インクジェット装置１の本体に着脱自在に装着され、ケース１０ａ内にインクを内包するインク袋１０ｂを有し、インクジェット装置１のチューブ３６と接続されるインク供給口１０ｃを有する。さらに、インクカートリッジ１０は、不揮発性メモリとして、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０ｄ及びＵＶ−ＥＰＲＯＭ（Ｕｌｔｒａ−Ｖｉｏｌｅｔ  Ｅｒａｓａｂｌｅ  Ｐｒｏｇｒａｍｍａｂｌｅ  Ｒｅａｄ  Ｏｎｌｙ  Ｍｅｍｏｒｙ）１０ｅを有する。
【００３３】
なお、ＥＥＰＲＯＭ１０ｄは、１バイト単位で情報を消去することができる。これにより、必要最小限の情報を書き換えればよいため、短時間で情報を書き換えることができ、その結果、画像形成を高速化することができる。
【００３４】
また、ＵＶ−ＥＰＲＯＭ１０ｅには、適用可能なインクジェット装置の機種、インクの色、品種、製造地域、ブランド、容量、製造年月日、使用期限等のインクに関する情報が製造者により書き込まれている。このとき、適用可能なインクジェット装置を用いて画像を形成することにより、高画質画像を形成することができる。
【００３５】
次に、図７を用いて、インクカートリッジ１０が装着されたインクジェット装置１の動作を説明する。なお、インクジェット装置１の本体には、インクカートリッジ１０内のインクを用いて画像を形成する画像形成機構１Ａと、ＳＲＡＭ及びアドレス生成回路を有するメモリコントローラ１Ｂが設けられている。
【００３６】
インクカートリッジ１０をインクジェット装置１の本体に装着し、インクジェット装置１の電源をオンにすると、メモリコントローラ１Ｂは、アドレス生成回路が順次生成するアドレスをＥＥＰＲＯＭ１０ｄ及びＵＶ−ＥＰＲＯＭ１０ｅに与えると共に、読み出しイネーブル信号をＥＥＰＲＯＭ１０ｄ及びＵＶ−ＥＰＲＯＭ１０ｅに与える。これにより、ＥＥＰＲＯＭ１０ｄ及びＵＶ−ＥＰＲＯＭ１０ｅに書き込まれていた情報が全て読み出される。このとき、読み出された情報は、メモリコントローラ１ＢのＳＲＡＭに格納されるため、画像形成機構１Ａは、必要な情報をＳＲＡＭから取得することができる。
【００３７】
次に、画像形成機構１Ａは、図８に示すように、インクの使用期限を確認する。具体的には、まず、画像形成機構１Ａは、ＳＲＡＭからインクの使用期限を取得し（Ｓ１）、現在の日時を取得する（Ｓ２）。次に、画像形成機構１Ａは、使用期限が経過していないか確認し（Ｓ３）、使用期限を経過していない場合は、インクを使用し（Ｓ４）、使用期限を経過している場合は、アラートを通知する（Ｓ５）。これにより、画像形成機構１Ａは、使用期限を経過したインクをユーザーに事前に知らせることができる。本実施例では、画像形成機構１Ａがインクの使用期限を確認するが、画像形成機構１Ａとは別の手段がインクの使用期限を確認してもよい。
【００３８】
なお、画像形成機構１Ａがインクを用いて用紙４２に画像を形成しているときは、画像形成機構１ＡによりＳＲＡＭに格納されているインクの消費量が書き換えられる。これにより、インクカートリッジ１０内のインクの残量を管理することができる。
【００３９】
一方、画像形成が終了した後、インクジェット装置１の電源をオフにすると、メモリコントローラ１Ｂは、ＳＲＡＭに格納されているインクの消費量を選択して読み出すと共に、ＥＥＰＲＯＭ１０ｄの記憶領域を示す書き込み用のアドレスを生成する。次に、メモリコントローラ１Ｂは、インクの消費量及び書き込み用のアドレスをＥＥＰＲＯＭ１０ｄに送信すると共に、書き込みイネーブル信号をＥＥＰＲＯＭ１０ｄに送信する。これにより、ＥＥＰＲＯＭ１０ｄのインクの消費量が書き換えられる。
【００４０】
以上のように、インクカートリッジ１０が電気的に情報を書き換えることが可能なＥＥＰＲＯＭ１０ｄ及び電気的に情報を消去することができないＵＶ−ＥＰＲＯＭ１０ｅを有するため、ＥＥＰＲＯＭ１０ｄに書き換える必要がある情報を格納し、ＵＶ−ＥＰＲＯＭ１０ｅに、書き換える必要がない情報を格納することができる。その結果、ＥＥＰＲＯＭ１０ｄに格納されている情報を書き換える際に、エラー等が発生した場合にも、ＵＶ−ＥＰＲＯＭ１０ｅに格納された書き換える必要がない情報が消去されることを防止できる。さらに、ＵＶ−ＥＰＲＯＭ１０ｅは、紫外線照射により情報を消去することができるため、例えば、インクカートリッジを再利用する場合に、格納されている情報を書き換えることができる。
【００４１】
なお、インクジェット装置１の本体に、イエロー（Ｙ）、シアン（Ｃ）、マゼンタ（Ｍ）及びブラック（Ｋ）のインクカートリッジ１０ｙ、１０ｍ、１０ｃ及び１０ｋが装着される場合も、同様にして、ＳＲＡＭに格納されている各色のインクの消費量が、インクカートリッジ１０ｙ、１０ｍ、１０ｃ及び１０ｋのＥＥＰＲＯＭのインクの消費量が書き換えられる。
【００４２】
また、上記実施例においては、画像形成装置として、インクジェット装置、画像形成材料として、インクを用いる場合を示したが、特に限定されず、例えば、画像形成装置として、電子写真装置、画像形成材料として、トナーを用いてもよい。
【図面の簡単な説明】
【００４３】
【図１】本発明の画像形成装置の一例を示す側面図である。
【図２】インクジェット装置１の主要部を示す上面図である。
【図３】ヘッドタンク３５を示す斜視図である。
【図４】ヘッドタンク３５を示す分解斜視図である。
【図５】ヘッドタンク３５を示す断面図である。
【図６】本発明の画像形成材料収容容器の一例を示す斜視図である。
【図７】インクジェット装置１の動作を説明するブロック図である。
【図８】インクの使用期限を確認する動作を示すフローチャートである。
【符号の説明】
【００４４】
１    インクジェット装置
１Ｂ    メモリコントローラ
１０    インクカートリッジ
１０ｄ    ＥＥＰＲＯＭ
１０ｅ    ＵＶ−ＥＰＲＯＭ
【図１】
2009154316.tif 000003
【図２】
2009154316.tif 000004
【図３】
2009154316.tif 000005
【図４】
2009154316.tif 000006
【図５】
2009154316.tif 000007
【図６】
2009154316.tif 000008
【図７】
2009154316.tif 000009
【図８】
2009154316.tif 000010